(57)【要約】【課題】本発明は、ほぼ均等に保持して固着力を全体的に強固にした電気コネクタ及びそれを用いた電子機器を提供する。【解決手段】第１のコネクタ１５は、ハウジング２１の短手方向側壁に実装されるプリント回路基板１１に対する固着強度を上げるための補助金具としての固定部材３０が設けられている。固定部材３０は、Ｌ字型に形成された第１の固定部３１と、この第１の固定部３１の両端に形成された２つの挿入ピンからなる第２の固定部３２とから構成されている。この第１及び第２の挿入ピン３２ａ、３２ｂは、第１のコネクタ１５をプリント回路基板１１に実装した時に、プリント回路基板１２に形成された取付孔３３に挿入され、はんだ付けされる。【選択図】  図３
2004327263.tif 000002
【特許請求の範囲】
【請求項１】
プリント回路基板の表面に実装する電気コネクタにおいて、
絶縁性のハウジングと、
前記ハウジングに設けられ前記プリント回路基板に接続される導電性部材と、
前記ハウジングの側壁に設けられ、当該電気コネクタを前記プリント回路基板に実装する際に前記プリント回路基板の表面に接触する第１の固定部と、
前記第１の固定部をその左右から挟み込むように前記第１の固定部の両端近傍に夫々配置され、前記プリント回路基板に予め形成された孔部に挿入するためのピン形状を成した第２の固定部と、
を有することを特徴とする電気コネクタ。
【請求項２】
前記固定部材は、前記第１の固定部と前記第２の固定部を一体形成してなることを特徴とする請求項１記載の電気コネクタ。
【請求項３】
前記第１の固定部は、前記プリント回路基板の側壁中心部に設けられることを特徴とする請求項１または請求項２のいずれか記載の電気コネクタ。
【請求項４】
筐体と、
この筐体内部に搭載されたプリント回路基板と、
絶縁性のハウジングと、前記ハウジングに設けられ前記プリント回路基板に接続される導電性部材と、前記ハウジングの側壁に設けられ、当該電気コネクタを前記プリント回路基板に実装する際に前記プリント回路基板の表面に接触する第１の固定部と、前記第１の固定部をその左右から挟み込むように前記第１の固定部の両端近傍に夫々配置され、前記プリント回路基板に予め形成された孔部に挿入するためのピン形状を成した第２の固定部とを有する電気コネクタと、
この電気コネクタに接続された接続部品を介して前記プリント回路基板と接続される電子部品と、
を有することを特徴とする電子機器。
【請求項５】
前記電気コネクタの前記第１の固定部と前記第２の固定部を一体形成してなることを特徴とする請求項４記載の電子機器。
【請求項６】
前記電気コネクタの前記第１の固定部は、前記プリント回路基板の側壁中心部に設けられることを特徴とする請求項４または請求項５のいずれか記載の電子機器。
【発明の詳細な説明】
【０００１】
【発明の属する技術分野】
本発明は、プリント回路基板に接続する電気コネクタに関し、特にプリント回路基板と電気コネクタとを固定する手段を有する電気コネクタ及びそれを用いた電子機器に関する。
【０００２】
【従来の技術】
従来、電気コネクタをプリント回路基板に固定する方法として、電気コネクタを構成する絶縁ハウジングの取付面に、取付面から突出するよう、絶縁ハウジングと一体成形されたペグが設けられており、このペグをプリント回路基板に形成された取付孔に挿入して固定する方法が知られている（例えば、特許文献１参照。）。
【０００３】
【特許文献１】
特開２０００−１２３８９４公報
【０００４】
【発明が解決しようとする課題】
しかしながら、従来の装置では、電気コネクタを構成する絶縁ハウジングの取付面において、取付ペグがハウジングの各端に１つずつ設けられ、更に中心線の各側に配置されている。従って、電気コネクタに対して、横方向（プリント回路基板に並行な方向）の外力が加わった際に、電気コネクタに対して不均一に外力が加わり、電気コネクタのはんだにクラックが生じる可能性がある。
【０００５】
本発明は、以上の点に鑑みなされたもので、ほぼ均等に保持して固着力を全体的に強固にした電気コネクタ及びそれを用いた電子機器を提供することを目的とする。
【０００６】
【課題を解決するための手段】
上記目的を達成するために、本発明の電気コネクタは、プリント回路基板の表面に実装する電気コネクタにおいて、絶縁性のハウジングと、前記ハウジングに設けられ前記プリント回路基板に接続される導電性部材と、前記ハウジングの側壁に設けられ、当該電気コネクタを前記プリント回路基板に実装する際に前記プリント回路基板の表面に接触する第１の固定部と、前記第１の固定部をその左右から挟み込むように前記第１の固定部の両端近傍に夫々配置され、前記プリント回路基板に予め形成された孔部に挿入するためのピン形状を成した第２の固定部と、を有することを特徴とする。
【０００７】
上記目的を達成するために、本発明の電子機器は、筐体と、この筐体内部に搭載されたプリント回路基板と、絶縁性のハウジングと、前記ハウジングに設けられ前記プリント回路基板に接続される導電性部材と、前記ハウジングの側壁に設けられ、当該電気コネクタを前記プリント回路基板に実装する際に前記プリント回路基板の表面に接触する第１の固定部と、前記第１の固定部をその左右から挟み込むように前記第１の固定部の両端近傍に夫々配置され、前記プリント回路基板に予め形成された孔部に挿入するためのピン形状を成した第２の固定部とを有する電気コネクタと、この電気コネクタに接続された接続部品を介して前記プリント回路基板と接続される電子部品と、を有することを特徴とする。
【０００８】
【発明の実施の形態】
以下、本発明に係る実施の形態について図面を参照して詳細に説明する。図１は、本発明の一実施の形態に係る電子機器としてのノート型パーソナルコンピュータＡ（以下ノート型パソコンと称す）の斜視図である。図２は、ノート型パソコンＡの断面図である。
【０００９】
ノート型パソコンＡの本体１は樹脂製の上ケース２および樹脂製の下ケース３を有している。本体１の上面にはキーボード９が搭載されている。本体１の上面前部（キーボード９の前側）はユーザがキーボード９へのデータ入力の際に掌を置くためのアームレスト７が形成される。
【００１０】
本体１の後部には一対のヒンジ部５ａ、５ｂを介して表示装置４が開位置と閉位置との間を回動自在に接続されている。表示装置４にはデータを表示するためのＬＣＤ６が組み込まれている。また、本体１には、光ディスク装置１０が内蔵されており、本体１のサイド部からスライドして光ディスクＢの出し入れが可能となっている。
【００１１】
また、図２に示すように、本体１のケース２、３の内部には、光ディスク装置１０や第１および第２のプリント回路基板１１、１２が収納されている。この第１及び第２のプリント回路基板１１、１２には、ＩＣチップのような回路部品１３が実装されている。そして、第１及び第２のプリント回路基板１１、１２は、ケース２、３と平行な姿勢で互いに所定の間隔をあけて向かい合っており、本体１の高さ方向に積み重なるよう配置されている。
【００１２】
第１及び第２のプリント回路基板１１、１２は、その間に介在する電気コネクタとしてのスタッキングコネクタ１４によって電気的に接続されている。このスタッキングコネクタ１４は、第１のプリント回路基板１１と第２のプリント回路基板１２とを電気的に接続するもので、第１のコネクタ（コネクタプラグ）１５と第２のコネクタ（レセプタクル）１６とから構成されている。
【００１３】
尚、本実施例では電子機器としてノート型パソコンを、電気コネクタとしてスタッキングコネクタを用いて説明するが、これに限らず、プリント回路基板同士や、プリント回路基板と電気ケーブル（ワイヤー）を接続する電気コネクタ及び電子機器全般に使用することが可能である。
【００１４】
また、以下の説明においては、電気コネクタとして第１のプリント回路基板１１に実装される第１のコネクタ１５を用いて説明し、第２のプリント回路基板１２の表面に実装される第２のコネクタ１６に関しても同様に適用できるため説明を省略する。
【００１５】
図３乃至図６は、第１のプリント回路基板１１の表面に実装される第１のコネクタ１５の構成及び実装された状態を示す図である。図３は第１のコネクタ１５の斜視図であり、図４は側面からみた図である。図５は図３に示す点線Ｘ−Ｘ’における断面図である。
【００１６】
図３に示す第１のコネクタ１５は、絶縁性材料からなる細長いハウジング２１から構成されている。このハウジング２１の側壁には、その長手方向に沿って、プリント回路基板１１に接続される複数の導電性部材としてのリード２３が設けられている。また、ハウジング２１はその内面で、これらリード２３に接続するよう配置された図示せぬ導電性のコンタクト部を保持する。ハウジング２１は、コンタクト部に接続される第２のコネクタ１６を挿入するための挿入部２５を有しており、挿入部２５内にコンタクト部を配している。
【００１７】
また、第１のコネクタ１５は、そのハウジング２１の短手方向側壁に、固定部材３０が設けられている。固定部材３０は、実装されるプリント回路基板１１に対する固着強度を上げるための補助金具で、プリント回路基板１１の表面と第１のコネクタ１５の側壁の夫々に接続するよう形成された第１の固定部３１と、プリント回路基板１１に予め形成された取付孔３３に挿入して接続する複数のピン形状からなる第２の固定部３２とから構成されている。
【００１８】
本実施例においては、第１の固定部３１は、２つの面を有するＬ字型に形成されている。第２の固定部３２は、この第１の固定部３１の両端に形成された２つの挿入ピンからなる。そして、この第１及び第２の固定部３１、３２は一体的に構成されている。尚、本発明は、その位置関係が同様であれば、第１の固定部３１と第２の固定部３２を別体で構成しても良い。
【００１９】
図３及び図４に示すように、第１の固定部３１は、Ｌ字型の第１の面３１ａがハウジング２１の側壁面に固定されている。また、Ｌ字型の第２の面３１ｂが、第１のコネクタ１５をプリント回路基板１１に実装した時に、プリント回路基板１１の表面に接触するよう形成されている。
【００２０】
第２の固定部３２は、第１の固定部３１を挟み込むように、その両端部に第１及び第２の挿入ピン３２ａ、３２ｂが形成されている。この第１及び第２の挿入ピン３２ａ、３２ｂは、第１のコネクタ１５をプリント回路基板１１に実装した時に、プリント回路基板１２に形成された取付孔３３に挿入される。この第１及び第２の挿入ピン３２ａ、３２ｂは、取付孔３３に挿入された際にプリント回路基板１１の反対側の面から突出するだけの長さを有するよう形成されている。
【００２１】
本実施例では、第１の固定部３１の両端に１つずつ挿入ピンを形成している。挿入ピンは、第１の固定部の周囲に均等に設けることにより、どのような方向からの外力に対しても、均等かつ安定して固定することができ、全体的に強固に固着することができる構成となる。
【００２２】
このように形成された固定部材３０を有する第１のコネクタ１５をプリント回路基板１１に実装する場合には、図４及び図５に示すように、プリント回路基板１１に予め形成された取付孔３３に対して第１及び第２の挿入ピン３２ａ、３２ｂを挿入する。その後、はんだ４０を溶解し、取付孔３３へと流入させ、挿入ピン３２ａ、３２ｂと取付孔３３間の余分な空間を埋めることにより、挿入ピン３２ａ、３２ｂとプリント回路基板１１が確実に接着する。また、Ｌ字型の第２の面３１ａをプリント回路基板１１の表面部に図示せぬ接着剤により固定する。
【００２３】
従って、第１のコネクタ１５において、図６に示すように、例えば横方向（プリント回路基板１１に並行な方向）の外力が加わったとしても、まずプリント回路基板１１の表面に接着している第１の固定部３１における第２の面３１ｂ（エリアＢに相当）によって第１のコネクタ１５の短手方向側壁中央部が固定されることとなる。
【００２４】
更に、この第１の固定部３１の両端に形成され、プリント回路基板１１の取付孔３３を貫通している第１の挿入ピン３２ａ（エリアＡに相当）及び第２の挿入ピン３２ｂ（エリアＣに相当）によって固定されることとなる。その結果、どのような方向からの外力に対しても、第１のコネクタ１５をプリント回路基板１１に均等かつ安定して固定することができ、第１のコネクタ１５を全体的に強固に固着することが可能となる。
【００２５】
また、第１の固定部３１と第１及び第２の挿入ピン３２ａ、３２ｂとを一体的に形成して構成されていることにより、各固定部の固定強度の差から生じるぶれを少なく抑えることができ、第１のコネクタ１５をプリント回路基板１１に均等かつ安定して固定することができ、第１のコネクタ１５を全体的に強固に固着することが可能となる。
【００２６】
【発明の効果】
以上説明したように、本発明によれば、ほぼ均等に保持して固着力を全体的に強固にすることができる。
【図面の簡単な説明】
【図１】本発明の実施形態における電気コネクタが用いられたノート型パーソナルコンピュータＡの外観構成を示す斜視図。
【図２】ノート型パソコンＡの一部断面図。
【図３】第１のコネクタ１５の構成を示す斜視図。
【図４】第１のコネクタ１５の短手方向側面からみた構成を示す側面図。
【図５】第１のコネクタ１５における固定部材３０の状態を説明する断面図。
【図６】第１のコネクタ１５の短手方向側面からみた構成を示す側面図。
【符号の説明】
Ａ    電子機器、ノート型パソコン
１    電子機器およびノート型パソコンの本体
２、３    電子機器およびノート型パソコンのケース
４    表示装置
５ａ、５ｂ    ヒンジ部
６    ＬＣＤ
７    アームレスト
９    キーボード
１０    光ディスク装置
１１、１２    プリント回路基板
１３    電子部品
１４    スタッキングコネクタ
１５    第１のコネクタ
１６    第２のコネクタ
２１    ハウジング
２３    リード
２５    挿入部
３０    固定部材
３１    第１の固定部
３２    第２の固定部
【図１】
2004327263.tif 000003
【図２】
2004327263.tif 000004
【図３】
2004327263.tif 000005
【図４】
2004327263.tif 000006
【図５】
2004327263.tif 000007
【図６】
2004327263.tif 000008